(57)【特許請求の範囲】
【請求項１】
端部にラッチ受けが形成されたシャックル部材と、該シャックル部材の端部を抜き差し可能なソケット穴を有する錠本体とを備え、前記シャックル部材の端部を前記ソケット穴に差し込んで前記ラッチ受けにラッチ部材を係合させることで施錠し、該係合を解くことで前記シャックル部材が前記ソケット穴から抜ける方向に移動して開錠するように構成された錠前であって、
前記シャックル部材はオーステナイト系ステンレス鋼製であり、かつ、前記錠本体の少なくとも前記ソケット穴を構成する部材は樹脂製である、錠前。
【請求項２】
前記錠本体は、鍵穴を有し、少なくとも前記鍵穴を構成する部材は非金属材料からなる、請求項１に記載の錠前。
【請求項３】
前記錠本体は、前記鍵穴を構成するプラグと、該プラグが嵌め込まれるスリーブと、前記プラグと前記スリーブとの間に跨って配置されることで前記プラグの回転を妨げるタンブラー部材を備え、前記鍵穴に鍵を差し込むことにより前記プラグおよび前記スリーブに対し前記タンブラー部材が摺動して前記プラグの回転を許容するように構成されており、
前記タンブラー部材はオーステナイト系ステンレス鋼製であり、かつ、前記プラグおよび前記スリーブは樹脂製である、請求項１または２に記載の錠前。
【請求項４】
前記タンブラー部材の表面は硬質の非金属皮膜で覆われている、請求項３に記載の錠前。
【請求項５】
前記ラッチ部材は金属製であり、
該ラッチ部材を前記ラッチ受けに係合させる際および該係合を解く際における前記シャックル部材と前記ラッチ部材との摺動部では、前記シャックル部材および前記ラッチ部材の少なくとも一方の表面が硬質の非金属皮膜で覆われていることにより両部材を構成する金属同士の直接接触が回避されている、請求項１から４のいずれか一項に記載の錠前。
【請求項６】
前記非金属皮膜はダイヤモンドライクカーボン膜である、請求項４または５に記載の錠前。
【発明の詳細な説明】
【技術分野】
【０００１】
本発明は、金属粉の発生が防止された錠前（典型的には南京錠）に関する。
【背景技術】
【０００２】
リチウム二次電池等の電池や半導体装置等の精密部品を製造する際、その製造環境に微細な金属粉（金属質の粉塵）が存在すると、該金属粉の付着や製品への混入による品質低下、不良率の上昇等の不都合が生じることがある（特許文献１参照）。例えば、これら金属粉を嫌う製品の製造設備（クリーンルーム等）またはその近辺で使用される物品が金属製の部品を備えていると、該金属製部品が上記金属粉の発生源となり得る。特に、摺動部を有する物品において該摺動部（可動部）に金属製部品が用いられている場合には、該金属製部品がこすられて削れることにより削られて金属粉を生じやすい。
【０００３】
ところで、収納庫の扉、制御板の扉、製造装置やその安全装置の作動スイッチ等の施錠や目印として、手軽で便利な南京錠を用いることが考えられる。しかし、一般に南京錠はその全体が金属製であるため、施錠または開錠の際に金属製の部品同士が摺動し（こすれ）て金属粉が発生し得る。また、該南京錠の鍵穴に鍵を抜き差しする際にも、鍵と鍵穴構成部材とのこすれにより金属粉が発生し得る。かかる金属粉の発生防止対策が施された南京錠が提供されれば有用である。
なお、特許文献２には合成樹脂製の鍵が記載され、特許文献３にはファインセラミックス製の鍵が記載されているが、これらはいずれも金属粉の発生防止を目的としたものではなく、また該鍵が差し込まれる錠の構成も考慮されていない。
【０００４】
【特許文献１】特開２００３−３６８８７号公報
【特許文献２】特開平２−８８８５６号公報
【特許文献３】実開昭６１−８２５９号公報
【発明の開示】
【発明が解決しようとする課題】
【０００５】
そこで本発明は、金属粉を嫌う製品（電池、半導体装置等）の製造設備またはその近辺においても好適に使用することのできる、金属粉の発生が防止された錠前（典型的には南京錠）の提供を目的とする。
【課題を解決するための手段】
【０００６】
本発明によると、端部にラッチ受けが形成されたシャックル部材と、該シャックル部材の端部を抜き差し可能なソケット穴を有する錠本体とを備える錠前（「錠」ともいう。）であって、前記シャックル部材の端部を前記ソケット穴に差し込んで前記ラッチ受けにラッチ部材を係合させることで施錠し、該係合を解くことで前記シャックル部材が前記ソケット穴から抜ける方向に移動して開錠するように構成された錠前（典型的には南京錠）が提供される。ここで、前記シャックル部材は金属製であり、かつ、前記錠本体の少なくとも前記ソケット穴を構成する部材は非金属材料からなる。
かかる構成の錠前では、前記ソケット穴の内面が非金属材料からなるので、前記シャックル部材が金属製であるにも拘わらず、施錠時および開錠時に該シャックル部材を前記ソケット穴に抜き差ししても金属同士がこすれることはない。このことによって、前記シャックル部材と前記ソケット穴（錠本体）との摺動による金属粉の発生が抑制される。したがって、本発明に係る錠前は、様々な環境で種々の用途に用いることができ、特に、金属粉を嫌う製品（リチウム二次電池等の非水電解質二次電池、半導体装置等）の製造設備またはその近辺でも好適に使用することができる。また、該錠前によると、金属製のシャックル部材を使用しつつ金属粉の発生を防止することができる。金属製のシャックル部材を用いることにより、樹脂製のシャックル部材に比べて強度および耐久性に優れ、セラミック製のシャックル部材に比べて耐衝撃性および成形性（形状精度、加工の容易性等）に優れるという利点が得られる。
【０００７】
ここに開示される錠前の好ましい一態様では、前記錠本体が鍵穴を有し、該錠本体の少なくとも前記鍵穴を構成する部材は非金属材料からなる。このような構成の錠前では、該錠前と組み合わせて使用される（ロックセットを構成する）鍵として金属製の鍵を使用しても、該金属製鍵を鍵穴に抜き差しする際に金属同士がこすれることはない。したがって、かかる態様によると、鍵の材質を問わず、該鍵と鍵穴（鍵穴構成成部材）とのこすれ（摺動）による金属粉の発生を防止することができる。
【０００８】
ここに開示される錠前の他の好ましい一態様では、前記錠本体が、前鍵穴を構成するプラグと、該プラグが嵌め込まれるスリーブと、前記プラグと前記スリーブとの間に跨って配置されることで前記プラグの回転を妨げるタンブラー部材を備える。該錠前は、前記鍵穴に鍵を差し込むことにより前記プラグおよび前記スリーブに対し前記タンブラー部材が摺動して前記プラグの回転を許容するように構成されている。そして、前記タンブラー部材は金属製であり、かつ、前記錠本体の少なくとも前記タンブラー部材との摺動部を構成する部材は非金属材料からなる。
かかる構成の錠前では、前記摺動部が非金属材料からなるので、前記タンブラー部材が金属製であるにも拘わらず、前記プラグおよび前記スリーブに対してタンブラー部材が移動しても金属同士がこすれることはない。したがって、上記構成によると、タンブラー部材のこすれ（摺動）による金属粉の発生が抑制される。このように、本発明に係る錠前によると、金属製のタンブラー部材を使用しつつ金属粉の発生を防止することができる。金属製のタンブラー部材を用いることにより、樹脂製のタンブラー部材に比べて強度および耐久性に優れ、セラミック製のタンブラー部材に比べて耐衝撃性および成形性（形状精度、加工の容易性等）に優れるという利点が得られる。
【０００９】
好ましい他の一態様では、前記タンブラー部材の表面が硬質の非金属皮膜で覆われている。かかる態様によると、該錠前と組み合わせて使用される（ロックセットを構成する）鍵として金属製の鍵を使用しても、該鍵を鍵穴に抜き差しする際に、鍵を構成する金属とタンブラーを構成する金属との直接接触を回避することができる。したがって、鍵の材質を問わず、該鍵とタンブラー部材とのこすれ（摺動等）による金属粉の発生を防止することができる。
【００１０】
ここに開示される錠前のさらに他の好ましい一態様では、前記ラッチ部材が金属製である。そして、該ラッチ部材を前記ラッチ受けに係合させる際および該係合を解く際における前記シャックル部材と前記ラッチ部材との摺動部では、前記シャックル部材および前記ラッチ部材の少なくとも一方の表面が硬質の非金属皮膜で覆われていることにより、両部材を構成する金属同士の直接接触が回避されている。
かかる態様では、前記ラッチ部材（例えばボール）が金属製であるので、樹脂製のラッチ部材に比べて強度および耐久性に優れ、セラミック製のラッチ部材に比べて耐衝撃性および成形性（形状精度、加工の容易性等）に優れる。そして、前記シャックル部材および前記ラッチ部材の少なくとも一方（好ましくは両方）を硬質の非金属皮膜で覆うことにより両部材を構成する金属同士の直接接触が回避されているので、金属製のシャックル部材および金属製のラッチ部材を使用しつつ金属粉の発生を防止することができる。シャックル部材とラッチ部材とを係合させる際および該係合を解く際には両部材の摺動部に大きな応力がかかるため、これらの部材の一方または両方を樹脂製とすると錠前の耐久性が不足しがちとなるところ、本発明によると、耐久性に優れ且つ金属粉の発生が防止された錠前を実現することができる。
【００１１】
前記非金属皮膜の一好適例としてダイヤモンドライクカーボン膜が挙げられる。ダイヤモンドライクカーボン膜（以下、「ＤＬＣ膜」ともいう。）は、硬度および化学的安定性が高くかつ耐摩耗性に優れることから、上記錠前の長期間の使用または開錠と施錠の繰り返しに対して高い耐久性を示す。したがって、かかる構成によると、金属粉発生を抑制する効果の耐久性に優れた錠前を実現することができる。
【００１２】
また本発明は、他の側面として、ここに開示されるいずれかの錠前（典型的には南京錠）と、該錠前（錠と同義）を開錠可能な鍵と、を備えるロックセット（すなわち、鍵と錠とのセット）を提供する。該ロックセットは、上記のように金属粉の発生防止対策が施された錠前を用いることから、金属粉を嫌う製品（電池、半導体装置等）の製造設備またはその近辺でも好適に使用することができる。
ここに開示されるロックセットの好ましい一態様では、前記鍵が金属製であって、前記錠前を構成する前記錠本体は少なくとも内面が非金属材料により構成された鍵穴を有する。かかるロックセットによると、金属製の鍵を使用しつつ金属粉の発生を防止することができる。このように金属製の鍵を用いることにより、樹脂製の鍵に比べて強度および耐久性に優れ、セラミック製の鍵に比べて耐衝撃性および成形性に優れるという利点が得られる。
【発明を実施するための最良の形態】
【００１３】
以下、図面を参照しつつ、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００１４】
図１に示すように、ここに開示される錠前の典型例としての南京錠１は、長脚部１２および短脚部１４を有する逆Ｊ字形状のシャックル部材１０と、それら脚部１２，１４の端部がそれぞれ挿入されるソケット穴２４，２６を有する錠本体２０とを備える。また、錠本体２０には鍵９０を抜き差し可能な鍵穴４２が設けられている。ロックセット１００は、南京錠１およびこれと組み合わせて使用される（南京錠１を開錠可能な）鍵９０により構成されている。
【００１５】
シャックル部材１０の長脚部１２および短脚部１４の端部には、互いに対向する内側部分にそれぞれ凹み１６，１７が形成されている。図１に示す南京錠１の施錠状態では、ソケット穴２４，２６に差し込まれた長脚部１２および短脚部１４の凹み１６，１７に、錠本体２０に収容されたラッチ部材としてのボール３８，３９がそれぞれ係合している。これによりシャックル部材１０がソケット穴２４，２６から抜ける方向（図１の上方）に移動することが阻止されている。なお、ソケット穴２４の奥部には、シャックル部材１０を上方に付勢するスプリング１９が収容されている。
【００１６】
錠本体２０は、ソケット穴２４，２６を構成する部材であるケース２２と、ケース２２に嵌め込み固定された円筒状のスリーブ３０と、鍵穴４２を構成する部材であってスリーブ３０の内周側に嵌め込まれた段付円柱状のプラグ４０とを備える。図１に示す施錠状態では、三つ（三組）のピンタンブラー５０が、スリーブ３０とプラグ４０とに跨って位置している。また、プラグ４０の奥側（鍵穴４２の入口とは反対側）に設けられた頭部４６は、図１に示す施錠状態においてボール３８が内周側に移動する（これにより凹み１６，１７との係合が外れる）ことを阻止するように形成されている。
【００１７】
ピンタンブラー５０の構成および作動につき説明する。図２および図３に示すように、スリーブ３０には、下方（鍵穴４２の入口側）から順に、該スリーブ３０の外周端から径方向内側に延びて内周端に至る摺動孔３３，３４，３５が形成されている。また、プラグ４０には、該プラグ４０の外周端から径方向内側に延びて鍵穴４２に至る摺動孔４３，４４，４５が、それぞれスリーブ３０の摺動孔３３，３４，３５に対応する位置に形成されている。そして、摺動孔３３と摺動孔４３とにより形成された連通孔、摺動孔３４と摺動孔４４とにより形成された連通孔、および摺動孔３５と摺動孔４５とにより形成された連通孔に、それぞれピンタンブラー５０が収容されている。
【００１８】
ピンタンブラー５０は、内側（鍵穴４２側）に配置されたインナーピン５２と、その外側端に当接するアウターピン５４とを備え、アウターピン５４の外側に配置されたスプリング５６によって内側（鍵穴４２側）に付勢されている。鍵穴４２に鍵９０が差し込まれていない状態では、図２で一番上に示されているピンタンブラー５０のように、ピンタンブラー５０はインナーピン５２の先端が鍵穴４２の内面に当接する位置にある。このとき、アウターピン５４の先端は摺動孔４３内まで入り込んでおり（すなわち、スリーブ３０とプラグ４０とに跨ってアウターピン５４が配置され）、これによりスリーブ３０に対するプラグ４０の回転が妨げられている。ピンタンブラー５０は、スプリング５６の付勢力に抗して外側に押し出されることにより、摺動孔３３，４３、摺動孔３４，４４および摺動孔３５，４５に沿って外側に移動させることができる。このように、本実施形態では、スリーブ３０およびプラグ４０が、錠本体２０とピンタンブラー５０との摺動部を構成する部材に相当する。
【００１９】
ここで、南京錠１の構成部品のうち、シャックル部材１０、ボール３８，３９、インナーピン５２およびアウターピン５４は、いずれも金属製である。これらの金属製部材を構成する金属材料としては、ステンレス鋼、アルミニウム（合金）、マグネシウム（合金）、チタン（合金）等を採用することができる。本発明にとり好ましい金属材料としてステンレス鋼が例示され、なかでもオーステナイト系のステンレス鋼（例えば、ＳＵＳ３０４等のような３００番台のＳＵＳ）の使用が好ましい。かかるステンレス鋼は、通常は非磁性体であるが、強い磁場をかけることで磁性体となる性質を有する。このため、仮に（例えば不適切な使用態様等により）これらの部材から金属粉が生じて電池等に混入したとしても上記性質を利用して該金属粉を取り除きやすいので、電池内部に混入した場合の悪影響が小さい。例えばシャックル部材１０にはＳＵＳ３０３を、ボール３８，２９、インナーピン５２およびアウターピン５４にはＳＵＳ３０４を用いた構成とすることができる。
これらの金属製部材、すなわちシャックル部材１０、ボール３８，３９、インナーピン５２およびアウターピン５４は、いずれも該部材の表面全体がＤＬＣ膜で覆われている。なお、上記ＤＬＣ膜の形成（すなわち、金属製部材の表面をＤＬＣ膜で覆う処理）は従来公知の方法により行うことができ、かかるＤＬＣ膜の具体的な形成方法自体は本発明を特徴づけるものではないため、詳細な説明は省略する。
【００２０】
また、南京錠１の構成部品のうち、ケース２２、スリーブ３０およびプラグ４０はいずれも樹脂製である。これら樹脂製部品を構成する樹脂材料としては、例えば、ポリフェニレンサルファイド（ＰＰＳ）、ポリフェニレンエーテル（ＰＰＥ）、メラミン樹脂、ポリカーボネート（ＰＣ）、ポリエーテルスルホン（ＰＥＳ）、ポリスルホン（ＰＳＦ）、ポリエーテルイミド、ポリイミド、ポリアミド、ポリアミドイミド（ＰＡＩ）、アクリロニトリル−スチレン樹脂（ＡＳ樹脂）、ポリプロピレン（ＰＰ）、ポリエチレン（ＰＥ）、ポリメチルペンテン（ＰＭＰ）、ポリアリレート（ＰＡＲ）、ポリエーテルエーテルケトン（ＰＥＥＫ）、ポリエーテルケトン（ＰＥＫ）等の樹脂を選択することができる。自己潤滑性および機械的強度の高い樹脂材料の使用が好ましい。例えば、ＰＰＳ，ＰＥＥＫ，ＰＣ等を好ましく使用することができる。本発明にとり特に好ましい樹脂材料としてＰＰＳが例示される。
【００２１】
一方、鍵９０は、鍵穴４２に挿入される差込部９２と、該差込部９２に続いて形成された把持部９６とを備える。差込部９２には、鍵９０の先端９１側から順に、上記三つのピンタンブラー５０のインナーピン５２の先端をそれぞれ受け入れ可能な窪み９３，９４，９５が形成されている。この鍵９０は金属製（例えばＳＵＳ３０４製）であって、その表面全体はＤＬＣ膜で覆われている。
【００２２】
このように構成された南京錠１の開錠時の作動を説明する。すなわち、鍵９０の差込部９２を鍵穴４２に挿入すると、該鍵９０の先端９１がインナーピン５２に当たり、スプリング５６の付勢力に抗してピンタンブラー５０を外周側に移動させる。インナーピン５２の先端が窪み９３，９４，９５以外の部分の差込部９２に当接しているときは、図２で鍵穴４２の入口側から二番目に示されているピンタンブラー５０のように、インナーピン５２の外側端がスリーブ３０の摺動孔３４内まで入り込んでおり（すなわち、スリーブ３０とプラグ４０とに跨ってインナーピン５２が配置され）、スリーブ３０に対するプラグ４０の回転が妨げられている。ここで、上述のように、インナーピン５２および鍵９０の表面はいずれもＤＬＣ膜で覆われており、これにより両部材を構成する金属の直接接触が回避されているので、インナーピン５２と鍵９０との摺動によって金属粉が発生することはない。また、インナーピン５２およびアウターピン５４を案内する摺動孔３３〜３５，４３〜４５は、樹脂製のスリーブ３０および樹脂製のプラグ４０より構成されている。したがって、摺動孔３３〜３５，４３〜４５とインナーピン５２およびアウターピン５４との摺動による金属粉の発生を防止することができる。さらに、鍵穴４２を構成するプラグ４０が樹脂製であることにより、鍵９０を抜き差しするときに該鍵９０と鍵穴４２とがこすれることによる金属粉の発生も防止されている。
【００２３】
図３に示すように、鍵９０を鍵穴４２の奥まで（先端９１が鍵穴４２の底部に届くまで）差し込むと、三つのインナーピン５２の先端が鍵９０の窪み９３，９４，９５にそれぞれ収まる。このとき各ピンタンブラー５０のインナーピン５２とアウターピン５４との境界（シアライン）がいずれもスリーブ３０とプラグ４０との境界と一致するように、窪み９３，９４，９５の深さが設定されている。これにより、スリーブ３０およびこれに固定されたケース２２に対してプラグ４０を回転させることが可能となる。
【００２４】
そして、鍵９０を捻ってプラグ４０を回転させると、図４に示すように、該プラグ４０の頭部４６外周に設けられた凹み４８，４９によりボール３８，３９が内周側に後退する。これによりボール３８，３９とシャックル部材１０（凹み１６，１７）との係合が解かれると、長脚部１２の先端付近に形成された括れ１８にボール３８が係合する位置までシャックル部材１０がスプリング１９の付勢力で押し上げられ、これにより短脚部１４の先端がソケット穴２６から抜け出す。ここで、上述のように、ボール３８，３９およびシャックル部材１０の表面はいずれもＤＬＣ膜で覆われており、これらの部材を構成する金属の直接接触が回避されている。したがって、ボール３８，３９とシャックル部材１０とのこすれによって金属粉が発生することはない。また、プラグ４０の頭部４６およびケース２２は樹脂製であるので、ボール３８，３９とプラグ４０およびケース２２とこすれによる金属粉の発生を防止することができる。さらに、ケース２２が樹脂製であることにより、シャックル部材１０とケース２２とのこすれによる金属粉の発生も防止されている。
【００２５】
このように、本実施態様に係る南京錠１および該南京錠１を用いたロックセット１００は、開錠および施錠の繰り返しに対する耐久性に優れる。また、該南京錠１およびロックセット１００は、使用に伴う金属粉の発生（例えば、開錠操作や施錠操作に伴う金属粉の発生）が高度に防止されており、しかもその金属粉発生防止効果の耐久性が高い。したがって、金属粉を嫌う製品の製造設備（クリーンルーム等）またはその近辺で使用される南京錠およびロックセットとして特に好適である。
【００２６】
以上、本発明を詳細に説明したが、上記実施形態および実施例は例示にすぎず、ここで開示される発明には上述の具体例を様々に変形、変更したものが含まれる。
例えば、ソケット穴を構成する部材および錠本体とタンブラー部材との摺動部を構成する部材として、上記説明では樹脂製の部材（ケース２２、スリーブ３０およびプラグ４０）を用いたが、これらの部材をセラミック製（例えば、アルミナ、ジルコニア、窒化ケイ素、炭化ケイ素等のセラミック製）としてもよい。また、上記説明ではシャックル部材、ラッチ部材（ボール３８，３９）およびタンブラー部材（インナーピン５２およびアウターピン５４）として金属製部材の全表面にＤＬＣ膜が形成された部材を使用したが、かかるＤＬＣ膜に代えて他の硬質非金属皮膜（例えばアルミナ膜）が形成された金属製部材を用いてもよい。
【００２７】
また、本発明の技術思想は、南京錠等の錠前に限定されず、摺動部を有する物品であって金属粉を嫌う製品の製造設備またはその近辺で使用される他の物品、例えば蝶番にも適用可能である。
すなわち、この明細書により開示される技術には、例えば図５に示すように、二枚の金属製羽根板（６２，６４）と、それらの羽根板（６２，６４）の一端に設けられた管状部（６２ａ，６４ａ）に共通的に挿通されて該羽根板（６２，６４）を連結するとともに該羽根板（６２，６４）を前記管状部（６２ａ，６４ａ）の周囲に回転可能に支持するピン（６６）とを備える蝶番（６０）であって、前記二枚の羽根板（６２，６４）の管状部（６２ａ，６４ａ）の端面が摺動する摺動部（６５）では、少なくとも一方（好ましくは両方）の羽根板の管状部端面が硬質の非金属皮膜（好ましくはＤＬＣ膜、アルミナ膜等。特に好ましくはＤＬＣ膜。）で覆われていることにより両羽根板（６２，６４）を構成する金属同士の直接接触が回避されている蝶番６０が含まれる。なお、図５中の符号６９は、この蝶番６０の固定に利用される取付孔である。かかる構成によると、上記摺動部（６５）で二枚の羽根板（６２，６４）の管状部（６２ａ，６４ａ）がこすれ合うことによる金属粉の発生を防止することができる。また、これらの羽根板（６２，６４）は金属製であるので、例えば樹脂製の羽根板を用いて構成された蝶番に比べて強度および耐久性に優れる。さらに、他方の羽根板の管状部（６２ａ，６４ａ）外周に対向する羽根板内端面（６１）および／または前記管状部の外周が硬質の非金属皮膜で覆われた構成としてもよい。
上記蝶番（６０）の好ましい一つの態様では、前記ピン（６６）が金属製であり、該ピン（６６）の外周が硬質の非金属皮膜（好ましくはＤＬＣ膜、アルミナ膜等。特に好ましくはＤＬＣ膜。）で覆われていることにより、該ピン（６６）を構成する金属と前記二枚の羽根板（６２，６４）を構成する金属との直接接触が回避されている。このような構成によると、ピン（６６）と羽根板（６２，６４）とがこすれ合うことによる金属粉の発生をも防止することができる。上記ピン（６６）は金属製であるので、例えば樹脂製のピンを用いて構成された蝶番に比べて強度および耐久性に優れる。
【００２８】
この明細書により開示される技術には、さらに、例えば図６に示すように、二枚の金属製羽根板（７２，７４）と、それらの羽根板（７２，７４）の一端に設けられた管状部（７２ａ，７４ａ）に共通的に挿通されて該羽根板（７２，７４）を連結するとともに該羽根板（７２，７４）を前記管状部（７２ａ，７４ａ）の周囲に回転可能に支持するピン（７６）とを備える蝶番（７０）であって、上記ピン（７６）に共通的に挿通された樹脂製（例えばＰＰＳ製）のスペーサ環（７８）が前記二枚の羽根板（７２，７４）の管状部（７２ａ，７４ａ）の端面間に介在された蝶番（７０）が含まれる。なお、図６中の符号７９は、この蝶番７０の固定に利用される取付孔である。かかる構成によると、前記二枚の羽根板（７２，７４）の管状部（７２ａ，７４ａ）の端面間にスペーサ環（７８）が介在されていることにより、該端面のこすれ合いによる金属粉の発生が回避される。好ましくは、上記ピン（７６）が樹脂製である。このことによって、ピン（７６）と羽根板（７２，７４）とのこすれ合いによる金属粉の発生をも防止することができる。
上記蝶番（７０）において、図６に示す例のように、前記スペーサ環（７８）の肉厚を前記管状部（７２ａ，７４ａ）の肉厚よりも大きくし、これにより他方の羽根板の管状部（７２ａ，７４ａ）の外周に対向する羽根板内端面（７１）と該管状部外周とが離隔される構成としてもよい。かかる構成によると、管状部（７２ａ，７４ａ）の外周と前記内端面（７１）とのこすれによる金属粉の発生を回避することができる。
【産業上の利用可能性】
【００２９】
本発明に係る錠前（典型的には南京錠）および該錠前を用いたロックセットは、金属製の部品を用いた構成でありながら、あるいは金属製の鍵を用いて開錠および施錠する場合であっても、該錠前の使用に伴う金属粉の発生が防止されている。したがって、様々な環境で種々の用途に用いることができ、特に、金属粉を嫌う製品（例えば、リチウム二次電池等の電池や半導体装置等の精密部品）の製造設備またはその近辺で使用される錠前およびロックセットとして特に好適である。例えば、上記製品を製造する設備の入口扉、該設備の内部またはその近辺にある収納庫の扉、制御板の扉、製造装置やその安全装置の作動スイッチ等の施錠や目印として、本発明に係る錠前またはロックセットを好ましく採用することができる。
【図面の簡単な説明】
【００３０】
【図１】一実施態様に係る錠前（南京錠）の施錠状態を示す断面図である。
【図２】一実施態様に係る錠前（南京錠）の要部の作動を示す断面図である。
【図３】一実施態様に係る錠前（南京錠）の要部の作動を示す断面図である。
【図４】一実施態様に係る錠前（南京錠）の開錠状態を示す断面図である。
【図５】金属粉の発生が防止された蝶番の一例を示す平面図である。
【図６】金属粉の発生が防止された蝶番の他の例を示す平面図である。
【符号の説明】
【００３１】
１  南京錠（錠前）
１０  シャックル部材
１６，１７  凹み（ラッチ受け）
２０  錠本体
２２  ケース（ケース）
２４，２６  ソケット穴
３０  スリーブ
３３，３４，３５  摺動孔
３８，３９  ボール（ラッチ部材）
４０  プラグ
４２  鍵穴
４３，４４，４５  摺動孔
４６  頭部
５０  ピンタンブラー
５２  インナーピン（タンブラー部材）
５４  アウターピン（タンブラー部材）
９０  鍵
１００  ロックセット
６０，７０  蝶番
６２，６４  羽根板
６２ａ，６４ａ，７２ａ，７４ａ  管状部
６５  摺動部
６６，７６  ピン
７８  スペーサ環
【図１】
0005131521.tif 000002
【図２】
0005131521.tif 000003
【図３】
0005131521.tif 000004
【図４】
0005131521.tif 000005
【図５】
0005131521.tif 000006
【図６】
0005131521.tif 000007